(57)【要約】【課題】簡素な構成を有し、人手による簡単な操作によって、所定の床板に体形や嗜好に応じた傾斜を付与することができるベッド装置を提供すること。【解決手段】ベッドフレーム２内に複数の床板３，４，５が長手方向に沿って配列され、複数の床板３，４，５は、それぞれ独立してベッドフレーム２から支持され、さらに、ベッドフレーム２又はベッドフレーム２と一体のブラケット８に設けられ、高さを変えて配列された複数の取付穴１３，・・・，１３と、複数の取付穴１３のいずれかと解除可能に係合すると共に、床板３，５と直接又は間接的に当接して床板３，５を支持する係止部材１４と、を有し、係止部材１４を係合させる取付穴１３の選択によって床板３，５の傾斜が変更自在である。【選択図】図３
2010207458.tif 000002
【特許請求の範囲】
【請求項１】
ベッドフレーム内に複数の床板が長手方向に沿って配列されるベッド装置であって、
前記複数の床板は、それぞれ独立して前記ベッドフレームから支持され、
前記ベッドフレーム又は該ベッドフレームと一体の部材に設けられ、高さを変えて配列された複数の取付穴と、
該複数の取付穴のいずれかと解除可能に係合すると共に、前記床板と直接又は間接的に当接して該床板を支持する係止部材と、を有し、
該係止部材を係合させる前記取付穴の選択によって該床板の傾斜が変更自在である、ことを特徴とするベッド装置。
【請求項２】
前記複数の取付穴は、該ベッドフレームに取り付けられて一体化されたブラケットに形成される、ことを特徴とする請求項１記載のベッド装置。
【請求項３】
一端が前記ベッドフレームに直接又は間接的に枢支されると共に、下面側で前記係止部材に当接し、上面側に前記床板が載置される補助受け桟を有し、
前記係止部材を係合させる前記取付穴の選択によって、前記補助受け桟上に載置される前記床板の傾斜が変更自在である、ことを特徴とする請求項１又は２記載のベッド装置。
【請求項４】
該補助受け桟の長手方向両端部に一対のストッパーを有し、
該一対のストッパー間に前記床板が装填される、ことを特徴とする請求項３記載のベッド装置。
【発明の詳細な説明】
【技術分野】
【０００１】
本発明は、ベッド装置に関し、特に、頭部床板や脚部床板などに傾斜を付与することができるベッド装置に関する。
【背景技術】
【０００２】
ベッド装置のなかには、ベッドフレームないし受け桟上に、複数の床板、例えば、頭部床板、胴部床板及び脚部床板が配列されているものがある。
【０００３】
特許文献１には、ベッドフレームの内面に設けられた受け桟と、該受け桟上に載置される支持フレームと、該支持フレーム上に設けられた床板体を有し、該床板体が、背床板、胴床板及び脚床板から構成されるベッド装置が開示されている。特許文献１の発明に係るベッド装置によれば、背床板及び脚床板は、胴床板にピンを介して回動可能にそれぞれ連結され、床板体の下方には、背床板及び脚床板を回動させるため、モータのような駆動源、減速機構、及び種々のアームやローラを含む駆動機構が設置されている。このベッド装置において、背床板に傾斜をつけるとき、この駆動機構を駆動して背床板を起伏させる。なお、床板体全体及び背床板を水平にする場合には、第１及び第２の係合片をそれぞれ介して、床板体全体及び背床板をそれぞれ受け桟にロックする。
【先行技術文献】
【特許文献】
【０００４】
【特許文献１】特開２００６−１５８７７９号公報
【発明の概要】
【発明が解決しようとする課題】
【０００５】
特許文献１のベッド装置において、背床板を回動ないし起伏させる駆動機構には、傾斜した背床板を支持する際に、大きな荷重が印加される。よって、駆動機構が、使用者や寝具を安定して支持するためには、駆動機構の耐荷重を高くする必要がある。これによって、駆動手段は、肥大化及び大重量化してしまう。この結果、ベッド装置全体の移動、或いは駆動機構に一体的に連結された床板体のベッドフレームへの組み付けに、多大な労力を要することになる。さらに、特許文献１のベッド装置によれば、背床板等が、他の床板ないし床板体に、ピンを介して脱離不能に連結されているため、背床板等を交換したり、単独で持ち運んだりすることが困難である。
【０００６】
本発明の目的は、簡素な構成を有し、人手による簡単な操作によって、所定の床板に体形や嗜好に応じた傾斜を付与することができるベッド装置を提供することである。
【課題を解決するための手段】
【０００７】
本発明は、第１の視点において、ベッドフレーム内に複数の床板が長手方向に沿って配列されるベッド装置であって、前記複数の床板は、それぞれ独立して前記ベッドフレームから支持され、前記ベッドフレーム又は該ベッドフレームと一体の部材に設けられ、高さを変えて配列された複数の取付穴と、該複数の取付穴のいずれかと解除可能に係合すると共に、前記床板と直接又は間接的に当接して該床板を支持する係止部材と、を有し、該係止部材を係合させる前記取付穴の選択によって該床板の傾斜が変更自在であるベッド装置を提供する。
【発明の効果】
【０００８】
（１）本発明のベッド装置において、複数の床板は長手方向に沿って分割された構成を有し、床板に傾斜を付与する操作及び傾斜状態を保持する操作は全て手動で実行することができ、床板を含む全構造を簡素かつ軽量に構成することができる。
（２）本発明のベッド装置は、床板に傾斜をつけるための特別の駆動源を必要とせず、又床板を支持するための部材である係止部材も床板から分離可能であることにより、床板が簡素に構成されて軽量化されるため、人手によって容易に、床板に傾斜をつけることができる。
（３）本発明のベッド装置は、床板に傾斜をつけるための特別の駆動源を必要としない簡素な構成を有することにより、駆動機構は勿論、駆動機構と床板を連結するリンクも不要となって、床板が軽量化されるため、床板の交換、或いはベッド装置全体の移動に要する労力が軽減される。
（４）本発明による床板は、駆動機構や他の床板に連結される必要がなく、床板同士は独立してベッドフレームに装填されるため、既存のベッド装置にも適用することが容易である。
（５）本発明による床板は、他の床板から独立して設置されるため、床板のベッド装置長手方向長さ等に関する設計自由度が高く、使用者の体形や嗜好に合わせた床板の傾斜を提供することができ、例えば、頭部床板上げかつ足部床板水平、又は頭部床板水平かつ足部床板上げにより、寝心地を改善する。
（６）本発明のベッド装置において、床板を係止する係止部材には、大きな荷重は印加されないため、係止部材に複雑な構造は必要なく軽量に形成することができる。
（７）本発明によるベッド装置は、駆動機構を備えたリクライニング型ベッド装置の代替品として、安価に提供することができる。
【図面の簡単な説明】
【０００９】
【図１】本発明の一実施例に係るベッド装置の上面図である。
【図２】図２は、図１の側面図であって、第１の動作図である。
【図３】（Ａ）は、図１のIII矢視要部拡大図であり、（Ｂ）は、（Ａ）のＢ矢視図である。
【図４】本発明の一実施例に係るベッド装置の第２の動作図である。
【図５】本発明の他の実施例に係るベッド装置の要部図である。
【発明を実施するための形態】
【００１０】
本発明の実施の形態において、前記複数の取付穴は、該ベッドフレームに取り付けられて一体化されたブラケットに形成される。この形態によれば、ベッドフレームに直接、複数の取付穴を穿孔する場合に比べて、ベッドフレームの加工量を減少させることができる。また、このブラケットを用いることにより、既存のベッドフレームを有するベッド装置であっても、本発明の効果を享受することができる。
【００１１】
本発明の実施の形態に係るベッド装置は、一端が前記ベッドフレームに直接又は間接的に枢支されると共に、下面側で前記係止部材に当接し、上面側に前記床板が載置される補助受け桟を有し、前記係止部材を係合させる前記取付穴の選択によって前記補助受け桟上に載置される前記床板の傾斜が変更自在である。
【００１２】
この補助受け桟を用いることにより、種々の床板ないし様々なベッドフレームを有するベッド装置に、本発明を適用することが容易となる。例えば、補助受け桟は、独立してベッドフレームに対して設置できるため、本発明を一般的なベッドに容易に適用することができる。また、補助受け桟を用いることにより、傾斜を付与された補助受け桟に床板を装填することができるため、床板に傾斜を付与する作業が容易となり、又床板の加工量が減少される。
【００１３】
本発明の実施の形態に係るベッド装置は、該補助受け桟の長手方向両端部に一対のストッパーを有し、該一対のストッパー間に前記床板が装填される。このストッパーによって、床板の飛び出しが高度に防止され、又、床板の装填時には、床板の操作方向が限定されると共に床板の回動落下が防止され、交換操作の安全性が向上される。
【００１４】
本発明の実施の形態に係るベッド装置においては、床板が高さの異なる複数箇所から支持されること、例えば、床板下面の一端がベッドフレームから直接又は間接的に支持され、同他端がベッドフレームに対して高さが可変な係止部材から直接又は間接的に支持されることにより、傾斜が付与される。
【００１５】
本発明の実施の形態に係るベッド装置は、ベッドフレーム（枠体）に保持された床板の上面に寝具を積載すると共に所望の床板に所望の傾斜が付与され、寝具上に横たわる利用者の寝心地を改善する。
【００１６】
本発明の実施の形態に係るベッド装置は、複数の床板は、ベッドフレームの内側に支持されると共に、複数の床板は互いに独立してベッドフレームに載置され、複数の床板のうち所望の床板に傾斜が付与される。
【００１７】
本発明の実施の形態に係るベッド装置によれば、床板の幅方向両側に対応して、一対の補助受け桟が配置され、一対の補助受け桟の傾斜を介して床板に傾斜が付与される。
【００１８】
本発明の実施の形態においては、頭部床板及び足部床板の傾斜角度は、使用者が横臥状態で心地よいと感じる角度に設定自在である。また、本発明によれば、いわゆるリクライニングベッドにおけるような曲げ角度が必要なく、マットレスがわずかに傾く程度でも、利用者に心地よさを供与することができる。そのため、マットレスが折り曲がらなくてもよく、通常のベッド装置で使用されるマットレスをそのまま使用可能である。
【００１９】
マットレス構造の相違により、マットレスには体形に合うものと合わないものがある。そこで、体形に合わないマットレスに対して、本発明によるベッド装置を適用することにより、寝心地を改善することが可能である。
【実施例１】
【００２０】
以下図面を参照して、本発明の一実施例を説明する。図１は、本発明の一実施例に係るベッド装置の上面図である。図２は、図１の側面図であって、第１の動作図である。図３（Ａ）は、図１のIII矢視要部拡大図であり、図３（Ｂ）は、図３（Ａ）のＢ矢視図である。
【００２１】
図１及び図２を参照すると、本発明の一実施例に係るベッド装置１においては、ベッドフレーム２内に複数の床板、すなわち、頭部床板３、胴部床板４及び足部床板５が長手方向に沿って配列されている。複数の床板３〜５は、それぞれ独立してベッドフレーム２から支持される。ヘッドフレーム２ａとフットフレーム２ｂとの間において、複数の床板３〜５上に、マットレス１７が載置される。後述するように、利用者の要望に応じて、頭部床板３ないし胴部床板４に傾斜を付与することによって、マットレス１７を部分的に傾斜させ、寝心地を改善することができる。
【００２２】
ベッドフレーム２の内側には、ベッド装置１の長手方向に沿って延在する受け桟６が設けられている。受け桟６上には、水平状態で設置する胴部床板４が載置される。ベッドフレーム２の頭部及び足部において、対向する一対の両側面には、一対のブラケット８，８が、図３に示す第１のネジ９によってそれぞれ取り付けられている。ベッドフレーム２には、一対のブラケット８，８を介して、一対の補助受け桟７，７の一端がそれぞれ枢支される。一対の補助受け桟７，７の下面側は、後述する係止ピン（係止部材）１４上に当接し、一対の補助受け桟７，７の上面側には、頭部床板３及び足部床板５が載置されることにより、一対の補助受け桟７，７の傾斜に応じて、頭部床板３及び足部床板５は、傾斜状態でベッドフレーム２から支持される。
【００２３】
ベッド装置１は、基本的に、幅方向及び長手方向に対称な構造を有するため、以下、主として、幅方向他側（右側）かつ長手方向一側（足部側）の構造について説明する。
【００２４】
特に、図３（Ａ）及び図３（Ｂ）を参照すると、ブラケット８の一側（図２に示したベッド装置１の長手方向中央寄りに位置する部分）には、第２のネジ１０が溶接されている。補助受け桟７の一側（図２に示したベッド装置１の長手方向中央寄りに位置する部分）には、第２のネジ１０が挿通自在な孔７ａが形成されている。孔７ａに第２のネジ１０を挿通し、ワッシャ１１を介して、第２のネジ１０の頭部に第１のナット１２を締結することにより、補助受け桟の７の長手方向中央側は、ブラケット８を介して、ベッドフレーム２に対して枢支される。
【００２５】
ブラケット８の中央から他端（ベッド装置１の長手方向端部寄りに位置する部分）にかけては、複数の取付穴１３が形成されている。複数の取付穴１３は、高さを変えて配列されている。複数の取付穴１３のいずれかには、係止ピン（係止部材）１４が解除可能に係合する。係止ピン１４の頭部には、ネジ部１４ａが形成されている。ネジ部１４ａに、第２のナット１５を締結することにより、係止ピン１４は、ブラケット８を介して、ベッドフレーム２側に固定される。ブラケット８に締結された係止ピン１４の中間部には、補助受け桟７の下面の一部が当接する。
【００２６】
補助受け桟７の長手方向両側には、一対のストッパー１６，１６がそれぞれ取り付けられている。一対のストッパー１６，１６間に、足部床板５が装填される。また、一対のストッパー１６，１６の内面は、足部床板５の長手方向両端面とそれぞれ摺動自在である。一対のストッパー１６，１６は、足部床板５が回動したとき、足部床板５と当接して、足部床板５の飛び出しを防止する。
【００２７】
次に、ベッド装置１において、足部床板５に傾斜を付与する操作について説明する。なお、頭部床板３にも同様の操作によって傾斜を付与することができる。
（１）一対のブラケット８，８をそれぞれ、ベッドフレーム２の内側に第１のネジ９を用いてネジ止めする。
（２）孔７ａに第２のネジ１０を挿通して第１のナット１２を締結する。この操作を、幅方向両側で実行することにより、一対の補助受け桟７，７を一対のブラケット８，８にそれぞれ枢支する。
（３）一対の補助受け桟７，７を持ち上げて、その状態を保持させておく。補助受け桟７，７は、軽量であるため、持ち上げ容易である。
（４）利用者の要望や体形に応じて、複数の取付穴１３のいずれかに係止ピン１４を挿通して、第２のナット１５を締結する。この操作を、幅方向両側で実行することにより、係止ピン１４，１４は、ブラケット８，８にそれぞれ取り付けられる。但し、幅方向両側において、選択する取付穴１３，１３は同位置のものである。
（５）一対の補助受け桟７，７の保持を解除して、補助受け桟７，７を幅方向両側の係止ピン１４，１４上に当接させる。
（６）足部床板５を、ストッパー１６，１６に対して真直に下降していき、一対の補助受け桟７，７上に、足部床板５を載置する。かくして、足部床板５には、所望の傾斜が付与される。
【００２８】
以上説明したベッド装置１の利点を例示する。
（１）係止ピン１４を係合させる取付穴１３の選択によって、人手により足部床板５等の傾斜が容易に変更できる。
（２）補助受け桟７、係止ピン１４及び足部床板５が、互いに分離しているため、人手による小さな操作力で安全に操作が遂行されていく。
（３）足部床板５等は、一対のストッパー１６，１６との摩擦力により離脱防止されているが、補助受け桟７上に載置されているだけであるため、足部床板５等の交換が容易である。
（４）一対のストッパー１６，１６によって、足部床板５が回動ないし揺動しながら、一対の補助受け桟７，７上に落下する現象が防止される。これによって、足部床板５と一対の補助受け桟７，７の間や、足部床板５とフットフレーム２ｂの間に、手を挟まれたりすることが防止される。
【実施例２】
【００２９】
図４は、本発明の一実施例に係るベッド装置の第２の動作図である。上述した図２においては、頭部床板３及び足部床板５は、それぞれ上方に向かって傾斜しているが、本実施例においては、図２よりも下方に位置する取付穴１３を選択することにより、係止ピンの係止位置が低くなり、図４に示すように、頭部床板３及び足部床板５を、それぞれ下方に向かって傾斜させることができる。
【実施例３】
【００３０】
図５は、本発明の他の実施例に係るベッド装置の要部図である。上述した図３（Ａ）及び図３（Ｂ）においては、係止ピン１４は片持ちで、複数の取付穴１３は丸穴であったが、図５に示すように、係止ピン２４を幅方向に延在して、一対のブラケット２８，２８から両持ちされるようにし、又係止ピン２４が選択的に係合自在な複数の取付穴２３を半円状に形成してもよい。
【産業上の利用可能性】
【００３１】
本発明のベッド装置は、一般用のベッド装置、或いは、病室又は介護用のベッド装置として、好適に利用される。
【符号の説明】
【００３２】
１  ベッド装置
２  ベッドフレーム
２ａ  ヘッドフレーム
２ｂ  フットフレーム
３  頭部床板
４  胴部床板
５  脚部床板
６  受け桟
７  補助受け桟
７ａ  孔
８  ブラケット
９  第１のネジ（ブラケット取付ネジ）
１０  第２のネジ（補助受け桟枢支ピン）
１１  ワッシャ
１２  第１のナット
１３  複数の取付穴
１４  係止ピン（係止部材）
１４ａ  ネジ部
１５  第２のナット
１６  ストッパー
１７  マットレス
２３  複数の取付穴
２４  係止ピン（係止部材）
２８  ブラケット
【図１】
2010207458.tif 000003
【図２】
2010207458.tif 000004
【図３】
2010207458.tif 000005
【図４】
2010207458.tif 000006
【図５】
2010207458.tif 000007